【手続補正書】
【提出日】平成16年9月9日(2004.9.9)
【手続補正１】
【補正対象書類名】明細書
【補正対象項目名】発明の名称
【補正方法】変更
【補正の内容】
【発明の名称】遊技機用基板ケースの封止構造
【手続補正２】
【補正対象書類名】明細書
【補正対象項目名】特許請求の範囲
【補正方法】変更
【補正の内容】
【特許請求の範囲】
【請求項１】
ＲＯＭ等の制御装置を収納するケース本体と、該ケース本体に蓋をする蓋体からなる遊技機用基板ケースの封止構造において、
前記蓋体をケース本体にかぶせた際に前記蓋体側又はケース本体側から前記ケース本体又は蓋体の所定箇所に重合させて設けられた封止板と、
前記各封止板を前記ケース本体又は蓋体の所定箇所に封止解除不能な状態に封止する封止部材と、
前記各封止板と前記蓋体側又はケース本体側との接続箇所において隣同士に隙間をもって並設された複数の帯状の切断部と
を備えたことを特徴とする遊技機用基板ケースの封止構造。
【請求項２】
ＲＯＭ等の制御装置を収納するケース本体と、該ケース本体に蓋をする蓋体からなる遊技機用基板ケースの封止構造において、
前記蓋体をケース本体にかぶせた際に前記蓋体側又はケース本体側から前記ケース本体又は蓋体の側面に沿うように複数設けられた封止板と、
前記各封止板を前記ケース本体又は蓋体の側面に封止解除不能な状態に封止する封止部材と、
前記各封止板と前記蓋体側又はケース本体側との接続箇所において隣同士に隙間をもって並設された複数の帯状の切断部と
を備えたことを特徴とする請求項１記載の遊技機用基板ケースの封止構造。
【請求項３】
前記封止部材は、前記封止板を封止する前の状態にあるとき、前記封止板において外側に隙間をもって設けられた保持板に保持されていることを特徴とする請求項１又は２記載の遊技機用基板ケースの封止構造。
【請求項４】
前記封止部材は、所定以上の締め付けトルクが加わると頭部と脚部とがねじ切れるようなくびれを有するネジであることを特徴とする請求項１〜３いずれか記載の遊技機用基板ケースの封止構造。
【請求項５】
前記封止板に封印紙を貼り付け、前記封止部材を封印することを特徴とする請求項１乃至請求項４いずれか記載の遊技機用基板ケースの封止構造。
【請求項６】
ＲＯＭ等の制御装置を収納するケース本体と、該ケース本体に蓋をする蓋体からなる遊技機用基板ケースの封止構造において、
前記蓋体をケース本体にかぶせた際に前記蓋体側又はケース本体側から前記ケース本体又は蓋体の所定箇所に重合させて設けられた合成樹脂製の封止板と、
前記各封止板を前記ケース本体又は蓋体の所定箇所に封止解除不能な状態に封止する封止部材と、
を備えたことを特徴とする遊技機用基板ケースの封止構造。
【請求項７】
ＲＯＭ等の制御装置を収納するケース本体と、該ケース本体に蓋をする蓋体からなる遊技機用基板ケースの封止構造において、
前記蓋体をケース本体にかぶせた際に前記蓋体側又はケース本体側から前記ケース本体又は蓋体の側面に沿うように複数設けられた合成樹脂製の封止板と、
前記各封止板を前記ケース本体又は蓋体の側面に封止解除不能な状態に封止する封止部材と、
を備えたことを特徴とする請求項６記載の遊技機用基板ケースの封止構造。
【請求項８】
前記封止板は、鋸刃状の戻り止めを備えており、
前記封止部材は、前記ケース本体又は蓋体に設けられ、前記封止板の差し込み方向への移動を許容し、戻り方向への移動を禁止する掛止部を備えている
ことを特徴とする請求項６又は７記載の遊技機用基板ケースの封止構造。
【請求項９】
前記封止部材に前記封止板を封止し、該封止部材に封印紙を貼り付けることを特徴とする請求項６乃至請求項８いずれか記載の遊技機用基板ケースの封止構造。
【手続補正３】
【補正対象書類名】明細書
【補正対象項目名】０００１
【補正方法】変更
【補正の内容】
【０００１】
【発明の属する技術分野】
本発明は、ＲＯＭ等の制御装置を収納するための、遊技機用基板ケースの封止構造に係わる。
【手続補正４】
【補正対象書類名】明細書
【補正対象項目名】０００９
【補正方法】変更
【補正の内容】
【０００９】
そこで、本発明は、このような問題に鑑みなされたもので、その目的は、封止板を封止した状態においてその封止板を容易に切断できる遊技機用基板ケースの封止構造を提供することにある。又、別の目的は、封止板を封止する際に別途封止部材（ネジ等）を探し求める必要のない遊技機用基板ケースの封止構造を提供することを目的とする。
【手続補正５】
【補正対象書類名】明細書
【補正対象項目名】００１０
【補正方法】変更
【補正の内容】
【００１０】
【課題を解決するための手段、発明の実施の形態及び発明の効果】
上記の課題を解決するためになされた、請求項１に記載の本発明は、ＲＯＭ等の制御装置を収納するケース本体と、該ケース本体に蓋をする蓋体からなる遊技機用基板ケースの封止構造において、
前記蓋体をケース本体にかぶせた際に前記蓋体側又はケース本体側から前記ケース本体又は蓋体の所定箇所に重合させて設けられた封止板と、
前記各封止板を前記ケース本体又は蓋体の所定箇所に封止解除不能な状態に封止する封止部材と、
前記各封止板と前記蓋体側又はケース本体側との接続箇所において隣同士に隙間をもって並設された複数の帯状の切断部と
を備えたことを特徴とする。
【手続補正６】
【補正対象書類名】明細書
【補正対象項目名】００１１
【補正方法】変更
【補正の内容】
【００１１】
具体的には、請求項２記載の発明のように、請求項１記載のＲＯＭ等の制御装置を収納するケース本体と、該ケース本体に蓋をする蓋体からなる遊技機用基板ケースの封止構造において、
前記蓋体をケース本体にかぶせた際に前記蓋体側又はケース本体側から前記ケース本体又は蓋体の側面に沿うように複数設けられた封止板と、
前記各封止板を前記ケース本体又は蓋体の側面に封止解除不能な状態に封止する封止部材と、
前記各封止板と前記蓋体側又はケース本体側との接続箇所において隣同士に隙間をもって並設された複数の帯状の切断部と
を備えたことを特徴とする。
【手続補正７】
【補正対象書類名】明細書
【補正対象項目名】００１２
【補正方法】変更
【補正の内容】
【００１２】
請求項１，２記載の遊技機用基板ケースでは、通常、ＲＯＭ等の制御装置を取り付けて検査をした後に、一回目の封止を行う。すなわち、１枚目の封止板を封止部材で封止解除不能な状態にして蓋体とケース本体を封止する。その後、特別の場合が生じたとき検査のために蓋を開ける場合には、封止部材の封止を解除することができないため、封止板と蓋体（又はケース本体）との接続箇所に設けた切断部を切断して封止を解く。
【手続補正８】
【補正対象書類名】明細書
【補正対象項目名】００１４
【補正方法】変更
【補正の内容】
【００１４】
一方、このような第三者の不正を判断するための構造を採用しているため、封止を解く場合は切断部を切断する必要がある。
請求項１，２記載の遊技機用基板ケースの封止構造によると、隣同士に隙間をもって並設された複数の帯状の切断部を切断すればよいため、封止板の幅とほぼ同じ幅の切断部を切断する場合に比べて切断し易い。従って、帯状の切断部をニッパ等で容易に切断することができるという効果が得られる。
【手続補正９】
【補正対象書類名】明細書
【補正対象項目名】００１５
【補正方法】変更
【補正の内容】
【００１５】
請求項３記載の発明は、請求項１又は２記載の遊技機用基板ケースの封止構造において、前記封止部材は、前記封止板を封止する前の状態にあるとき、前記封止板において外側に隙間をもって設けられた保持板に保持されていることを特徴とする。
【手続補正１０】
【補正対象書類名】明細書
【補正対象項目名】００１６
【補正方法】変更
【補正の内容】
【００１６】
請求項３記載の発明によると、請求項１又は２の効果の他に、保持板に保持前の状態で封止部材がセットされているから使用する際にいちいち封止部材を探し求める必要がない。又、封止する際に封止部材を落としたりすることがない。
請求項４記載の発明は、請求項１〜３いずか記載の遊技機用基板ケースの封止構造において、前記封止部材は、所定以上の締め付けトルクが加わると頭部と脚部とがねじ切れるようなくびれを有するネジであることを特徴とする。
【手続補正１１】
【補正対象書類名】明細書
【補正対象項目名】００１８
【補正方法】変更
【補正の内容】
【００１８】
従って、封止後ネジには頭部が存在しないため、［従来の技術］の欄で説明した図８のネジ（締め付け方向のみに引っ掛かりを持つもの）に比べて、ネジによる封止解除が一層不可能となり、第三者が蓋体を開けようとすれば切断部を切断する以外になく、不正が行われた場合には必ず切断部の切断痕が残る。このため、切断部の外観をみるだけで確実に不正の有無が判断できる。
請求項５記載の発明は、請求項１乃至請求項４いずれか記載の遊技機用基板ケースの封止構造において、前記封止板に封印紙を貼り付け、前記封止部材を封印することを特徴とする。
請求項５記載の発明によると、切断部を切断し蓋体を開けても各封止板に貼り付けられた封印紙は破壊されずに残されるから、例えばこの封印紙に封印日の記載や封印者の押印等の情報を載せることで、蓋体を開けた人や日時及び理由等を第三者が見てすぐ分かるようにしておくとよい。また、封止の他に封印をすることで、仮に切断部を切断することなく何らかの方法で蓋体を開けようとしても、封印紙によりそのような不正を阻止することができる。この場合、封印紙をきれいに剥して蓋体を開けたあと、再び貼り付けることが考えられるが、このような不正行為に関しては、別途用意した封印台帳等で封印紙（封印紙自体や封印紙に記載されている字体、押印等）を照合することで、封印紙の偽造や改ざんなどのチェックをすることができる。
【手続補正１２】
【補正対象書類名】明細書
【補正対象項目名】００１９
【補正方法】変更
【補正の内容】
【００１９】
請求項６記載の発明は、ＲＯＭ等の制御装置を収納するケース本体と、該ケース本体に蓋をする蓋体からなる遊技機用基板ケースの封止構造において、
前記蓋体をケース本体にかぶせた際に前記蓋体側又はケース本体側から前記ケース本体又は蓋体の所定箇所に重合させて設けられた合成樹脂製の封止板と、
前記各封止板を前記ケース本体又は蓋体の所定箇所に封止解除不能な状態に封止する封止部材と、
を備えたことを特徴とする。
【手続補正１３】
【補正対象書類名】明細書
【補正対象項目名】００２０
【補正方法】変更
【補正の内容】
【００２０】
具体的には、請求項７記載の発明のように、請求項６記載のＲＯＭ等の制御装置を収納するケース本体と、該ケース本体に蓋をする蓋体からなる遊技機用基板ケースの封止構造において、
前記蓋体をケース本体にかぶせた際に前記蓋体側又はケース本体側から前記ケース本体又は蓋体の側面に沿うように複数設けられた合成樹脂製の封止板と、
前記各封止板を前記ケース本体又は蓋体の側面に封止解除不能な状態に封止する封止部材と、
を備えたことを特徴とする。
【手続補正１４】
【補正対象書類名】明細書
【補正対象項目名】００２１
【補正方法】変更
【補正の内容】
【００２１】
請求項６，７記載の遊技機用基板ケースは、請求項１，２記載の遊技機用基板ケースと同様、１回の封止を解くごとに封止板を切断する必要があるため封止を解いた痕跡が残り、このため第三者の不正を外観から判断できるものである。
【手続補正１５】
【補正対象書類名】明細書
【補正対象項目名】００２２
【補正方法】変更
【補正の内容】
【００２２】
請求項６，７記載の遊技機用基板ケースの封止構造によると、封止板が合成樹脂製のため、封止板が金属製の場合に比べて封止板を切断し易い。
請求項８記載の発明は、請求項６，７記載の遊技機用基板ケースの封止構造において、前記封止板は、鋸刃状の戻り止めを備えており、
前記封止部材は、前記ケース本体又は蓋体に設けられ、前記封止板の差し込み方向への移動を許容し、戻り方向への移動を禁止する掛止部を備えていることを特徴とする。
【手続補正１６】
【補正対象書類名】明細書
【補正対象項目名】００２３
【補正方法】変更
【補正の内容】
【００２３】
請求項８記載の発明によると、請求項６，７の効果の他に、封止板を封止部材に差し込んだ際に戻り止めにより封止部材が逆戻りできなくなり、第三者が蓋体を開けようとすれば切断部を切断する以外になく、不正が行われた場合には必ず切断部の切断痕が残る。このため、封止板の外観をみるだけで確実に不正の有無が判断できる。
【手続補正１７】
【補正対象書類名】明細書
【補正対象項目名】００２４
【補正方法】変更
【補正の内容】
【００２４】
本発明では、封止部材がケース本体又は蓋体に設けられているため、封止する際にいちいち封止部材を探し求める必要がない。
請求項９記載の発明は、前記封止部材に前記封止板を封止し、該封止部材に封印紙を貼り付けることを特徴とする。
請求項９記載の発明によると、封止板を切断して蓋体を開けても、封止部材に貼り付けられた封印紙は破壊されずに残されるから、例えばこの封印紙に封印日の記載や封印者の押印等の情報を載せることで、蓋体を開けた人や日時及び理由等を第三者が見てすぐ分かるようにしておくとよい。また、封止の他に封印をすることで、仮に封止板を切断することなく何らかの方法で蓋体を開けようとしても、封印紙によりそのような不正を阻止することができる。この場合、封印紙をきれいに剥して蓋体を開けたあと、再び貼り付けることが考えられるが、このような不正行為に関しては、別途用意した封印台帳等で封印紙（封印紙自体や封印紙に記載されている字体、押印等）を照合することで、封印紙の偽造や改ざんなどのチェックをすることができる。
【手続補正１８】
【補正対象書類名】明細書
【補正対象項目名】００３３
【補正方法】変更
【補正の内容】
【００３３】
その後頭部３２の存在しないネジ３０を図３に示すように封印紙６を貼り付けて封印する。これで第一回目の封止及び封印が終了する。
このパチンコ機に特別の場合が生じた場合にパチンコ機用主基板ケースの蓋体２０を開けてＲＯＭ等の制御装置の検査をする場合には以下のようになる。
【手続補正１９】
【補正対象書類名】明細書
【補正対象項目名】００５９
【補正方法】変更
【補正の内容】
【００５９】
又、封印を併用しているので封止、封印の痕跡がそのまま残せる。これは、バンド７２ａ〜ｆ，８２ａ〜ｆを収容するために溝構造のトレンチ７６ａ〜ｆ，８６ａ〜ｆを設け、その裾部に向けて傾斜させたことにより、封印紙をバンド７２ａ〜ｆ，８２ａ〜ｆの上面とトレンチ７６ａ〜ｆ，８６ａ〜ｆの傾斜面に密着させて貼り付けることができる。従って、バンド７２ａ〜ｆ，８２ａ〜ｆがずれたりしないし、封印紙が損傷し難い。
【手続補正２０】
【補正対象書類名】明細書
【補正対象項目名】００６０
【補正方法】変更
【補正の内容】
【００６０】
さらに、封止板７２ｇ〜ｉを収容するために溝構造のトレンチ８６ｇ〜ｉを設け、封印紙を封止板７２ｇ〜ｉの上面とトレンチ８６ｇ〜ｉの平らな広い上面に密着させて貼り付けることができる。この場合も、封止板７２ｇ〜ｉがずれたりしないし、封印紙が損傷し難い。このように封止および封印箇所が多いから不正がし難くなる。